(57)【要約】【課題】従来、視聴者がデジタルテレビ放送の番組を探すにあたっては、電子番組ガイド（ＥＰＧ）を新聞のラジオ、テレビ欄と同様な番組表にして、その中から希望する番組を探していたので、見たい番組を迅速、かつ容易に選択受信して視聴することができなかった。【解決手段】デジタルテレビ放送受信ナビゲーションシステムの一部を構成するとともに、番組選択用の選択手順画面を表示するためのテレビ受信機の表示画面のみを見ながら、視聴者の手もとに置かれたタブレットの面上を押下することによって、上記表示画面の所望位置にポインターを指示し得るようにした。【選択図】        図１
2004356995.tif 000002
【特許請求の範囲】
【請求項１】
デジタルテレビ放送受信ナビゲーションシステムの一部を構成するとともに、番組選択用の選択手順画面を表示するためのテレビ受信機の表示画面のみを見ながら、視聴者の手もとに置かれたタブレットの面上を押下することによって、前記表示画面の所望位置にポインターを指示し得るようにしたことを特徴とするデジタルテレビ放送受信ナビゲーションシステム。
【請求項２】
タブレット状のポインティング装置であって、
順次に増加または減少する電圧が印加されるか、または第１の電圧計を接続した母線に接続された状態に切り替えられる第１の導体線条と、
該第１の導体線条と直交して配置され、前記第１の導体線条に順次に増加または減少する電圧が印加されているときには第２の電圧計を接続した母線に接続され、前記第１の導体線条が第１の電圧計を接続した母線に接続されているときには順次に増加または減少する電圧が印加される第２の導体線条と、
前記第１の導体線条と前記第２の導体線条の交点に、前記第１の導体線条と前記第２の導体線条が短絡し得るようにするために、前記交点ごとに配置したスイッチと
を具えてなり、前記スイッチにより短絡した前記第１の導体線条と前記第２の導体線条の電圧を、それぞれ前記第１の電圧計と前記第２の電圧計により順次に測定して前記スイッチにより短絡した場所の位置情報を出力するものであることを特徴とするデジタルテレビ放送受信ナビゲーションシステムに使用するためのポインティング装置。
【請求項３】
タブレット状のポインティング装置であって、
一定周期でパルスを発生するパルス発生器と、
該パルス発生器で発生したパルスを順次遅延させるシフトレジスタと、
前記順次遅延させたパルスがそれぞれ供給される第１の導体線条と、
該第１の導体線条と直交して配置された第２の導体線条と、
順次のゲートパルスが供給され、第２の導体線条からの信号をゲートして取り出すパルス位置検出器と、
前記第１の導体線条と前記第２の導体線条の交点に、前記第１の導体線条と前記第２の導体線条が短絡し得るようにするために、前記交点ごとに配置したスイッチと
を具えてなり、前記スイッチにより短絡した場所の位置情報を出力するものであることを特徴とするデジタルテレビ放送受信ナビゲーションシステムに使用するためのポインティング装置。
【請求項４】
請求項２または３記載のポインティング装置において、前記スイッチは押圧スイッチであることを特徴とするデジタルテレビ放送受信ナビゲーションシステムに使用するためのポインティング装置。
【請求項５】
請求項２乃至４のいずれか１項記載のポインティング装置において、前記スイッチにより短絡した場所の位置情報は、前記短絡した交点の絶対位置情報と、前の時点で短絡した交点の位置から次に短絡した交点の位置までの差を表す相対位置情報とのいずれかを選択的に出力し得るように構成したことを特徴とするデジタルテレビ放送受信ナビゲーションシステムに使用するためのポインティング装置。
【請求項６】
請求項２乃至５のいずれか１項記載のポインティング装置において、前記スイッチにより短絡した場所の位置情報は、該位置情報の取り得る範囲を狭い範囲から広い範囲まで変化し得るように構成したことを特徴とするデジタルテレビ放送受信ナビゲーションシステムに使用するためのポインティング装置。
【発明の詳細な説明】
【０００１】
【発明の属する技術分野】
本発明は、地上波、衛星波、ケーブルテレビ網および通信回線網を通じて放送されるデジタルテレビ放送の番組を受信する多メディア、多チャンネルデジタル放送受信装置において、視聴者が多数の番組の中から見たい番組を迅速、かつ容易に選択受信して視聴するためのデジタルテレビ放送受信ナビゲーションシステム、およびそれに使用するためのポインティング装置に関する。
【０００２】
【従来の技術】
従来、アナログのテレビ放送では、放送番組の数が１０種類程度と少なかったため、視聴者がリモコンを操作したり、新聞のラジオテレビ欄や情報誌の番組表を用いて放送番組を選択してきた。
【０００３】
しかし、デジタルテレビ放送が開始され、番組数が多くなるにつれて、番組情報（サービス情報：ＳＩ）がデータ放送の形態で放送され、その番組情報から作成した電子番組ガイド（ＥＰＧ）をテレビ画面に表示させ、番組選択の手段とする技術が開発された。なお、この電子番組ガイド（ＥＰＧ）を用いてデジタルテレビ番組を選択する方法としては、例えば、次の特許文献１に記載されたものがある。
【０００４】
【特許文献１】
特開２００２−３４４８３９号公報
【０００５】
【発明が解決しようとする課題】
２０００年の年末以降、ＢＳデジタル放送、１１０度ＣＳデジタル放送が開始され、２００３年末には、地上デジタル放送も開始される。このようにデジタル放送が本格的に始まると、家庭で視聴できるテレビの番組の数も飛躍的に増大する。一方、放送は老若男女を問わず幅広い視聴者が１日３時間以上も視聴する基幹メディアとなっており、容易な操作により、視聴者のニーズに適合した番組が的確に提供される必要がある。
【０００６】
しかし、上記の特許文献１に記載されているように、電子番組ガイド（ＥＰＧ）を新聞のラジオ、テレビ欄と同様な番組表にしたのでは、多数のデジタル放送の伝送形態や、番組数の増加に的確に対応できず、高齢者を含むさまざまな視聴者が、いつでも視たいテレビ番組をすぐに探し出して楽しむことができない。
【０００７】
本発明の目的は、電子番組ガイド（ＥＰＧ）を新聞のラジオ、テレビ欄と同様な番組表にして、その中から視聴者が見たい番組を探すのではなく、視聴者に適合した番組を的確に探し出すことのできる番組選択手順の画面を視聴者に提示する放送受信ナビゲーションシステムを実現するとともに、それに使用するためのポインティング装置を提供することにある。
【０００８】
【課題を解決するための手段】
上記目的を達成するために、本発明デジタルテレビ放送受信ナビゲーションシステムは、デジタルテレビ放送受信ナビゲーションシステムの一部を構成するとともに、番組選択用の選択手順画面を表示するためのテレビ受信機の表示画面のみを見ながら、視聴者の手もとに置かれたタブレットの面上を押下することによって、前記表示画面の所望位置にポインターを指示し得るようにしたことを特徴とするものである。
【０００９】
また、本発明デジタルテレビ放送受信ナビゲーションシステムに使用するためのポインティング装置は、タブレット状のポインティング装置であって、順次に増加または減少する電圧が印加されるか、または第１の電圧計を接続した母線に接続された状態に切り替えられる第１の導体線条と、該第１の導体線条と直交して配置され、前記第１の導体線条に順次に増加または減少する電圧が印加されているときには第２の電圧計を接続した母線に接続され、前記第１の導体線条が第１の電圧計を接続した母線に接続されているときには順次に増加または減少する電圧が印加される第２の導体線条と、前記第１の導体線条と前記第２の導体線条の交点に、前記第１の導体線条と前記第２の導体線条が短絡し得るようにするために、前記交点ごとに配置したスイッチとを具えてなり、前記スイッチにより短絡した前記第１の導体線条と前記第２の導体線条の電圧を、それぞれ前記第１の電圧計と前記第２の電圧計により順次に測定して前記スイッチにより短絡した場所の位置情報を出力するものであることを特徴とするものである。
【００１０】
また、本発明デジタルテレビ放送受信ナビゲーションシステムに使用するためのポインティング装置は、タブレット状のポインティング装置であって、一定周期でパルスを発生するパルス発生器と、該パルス発生器で発生したパルスを順次遅延させるシフトレジスタと、前記順次遅延させたパルスがそれぞれ供給される第１の導体線条と、該第１の導体線条と直交して配置された第２の導体線条と、順次のゲートパルスが供給され、第２の導体線条からの信号をゲートして取り出すパルス位置検出器と、前記第１の導体線条と前記第２の導体線条の交点に、前記第１の導体線条と前記第２の導体線条が短絡し得るようにするために、前記交点ごとに配置したスイッチとを具えてなり、前記スイッチにより短絡した場所の位置情報を出力するものであることを特徴とするものである。
【００１１】
また、本発明デジタルテレビ放送受信ナビゲーションシステムに使用するためのポインティング装置は、前記スイッチが押圧スイッチであることを特徴とするものである。
【００１２】
また、本発明デジタルテレビ放送受信ナビゲーションシステムに使用するためのポインティング装置は、前記スイッチにより短絡した場所の位置情報が、前記短絡した交点の絶対位置情報と、前の時点で短絡した交点の位置から次に短絡した交点の位置までの差を表す相対位置情報とのいずれかを選択的に出力し得るように構成したことを特徴とするものである。
【００１３】
また、本発明デジタルテレビ放送受信ナビゲーションシステムに使用するためのポインティング装置は、前記スイッチにより短絡した場所の位置情報が、該位置情報の取り得る範囲を狭い範囲から広い範囲まで変化し得るように構成したことを特徴とするものである。
【００１４】
【発明の実施の形態】
以下に添付図面を参照し、発明の実施の形態に基づいて本発明を詳細に説明する。
図１は、本発明デジタルテレビ放送受信ナビゲーションシステムの構成を概念図にて示している。
図１において、視聴者はデジタルテレビ放送を視聴するとき、手もとに置かれた本発明によるタブレットの形態のポインティング装置１を操作し、「デジタルハイビジョン」対応のテレビ受信機２に表示された番組選択用の選択手順画面上でポインターを移動させ、選択手順画面の番組選択指示メニューと連動してデジタルテレビ番組の選択を行う。
【００１５】
このようなデジタルテレビ放送受信ナビゲーションシステムとしては、最低限以下の操作項目を具える必要がある。
ナビゲーションモード：例えば、選択画面の最下段に配置した４項目程度の選択ボタンから、１項目以上のボタンを本発明ポインティング装置（以下、単にポインティング装置と言う）により選択して、必要なナビゲーションモードの選択を行う。
画面遷移：サブメニューとしてリンクする跳び先を、例えば、選択画面の最下段に配置した４項目の選択ボタンをポインティング装置により選択操作して、必要なリンク先の切替えを行う。
【００１６】
番組選択項目：サブメニューとして、選択すべき番組候補を、例えば１乃至１０程度提示し、これらの中からポインティング装置により選択指示する。
検索語彙による選択項目：視聴者が自分の意思で、サブメニューとして検索語彙など、番組データベースを検索して選んだ例えば２０乃至８０項目から選択する。ただし、このときは、項目の数（左端）に選択ボタンを表示し、ここをクリツクする。
音声認識などによる自由語彙の入力：例えば、入力項目の正誤確認のため、「はい」、「いいえ」、「もう一度」の３項目から選択する。
【００１７】
なお、本発明デジタルテレビ放送受信ナビゲーションシステムにおいては、選択するメインメニューの項目内容により、それに続くサブメニューの項目数が、大きく変化しても選択指示のポインターが追随することが必要である。
【００１８】
また、本発明デジタルテレビ放送受信ナビゲーションシステムのもう１つの基本機能として、ヒューマンインターフエースが重視されなければならない。
これに関しては、まず、老若男女を問わず視聴者にとって使い易く違和感のないものであることが必要である。このためには特別な操作ツールでないこと、操作による緊張、疲れが発生しないこと、などが必要である。
【００１９】
また、視聴者の嗜好に適合できるものでなくてはならない（視聴者選択のカスタマイズが可能であること）。このためには、ポインティング装置を相対座標系のポインティングツールとして使うか、絶対座標系のポインティングツールとして使うかの選択を、視聴者の選択でできることが望ましい。このため、ポインティング装置としては、必要に応じて両方式の切替えが可能であることが望ましい。
【００２０】
また、テレビリモコン、ＰＣ操作など既存デバイスとの親和性を有することも必要である。受信ナビゲーションシステムとの接続インターフェースを、できるだけ、標準的な仕様とすることが望ましい。
さらにまた、操作方法に関する評価項目実施例として、操作デバイスを見ないで、説明不要の直感的で、すぐに操作の習熟ができるポインティングツールであることが必要である。
【００２１】
以上の検討をもとに、構成した本発明デジタルテレビ放送受信ナビゲーションシステムは、地上波、衛星波、ケーブルテレビ網および通信回線網を通じて放送されるデジタルテレビ放送の番組を受信する多メディア、多チャンネルデジタル放送受信装置において、視聴者が多数の番組の中から見たい番組を迅速、かつ容易に選択受信して視聴することのできるデジタルテレビ放送受信ナビゲーションシステムである。
【００２２】
そして、具体的な構成としては、視聴者が、視聴者からある一定距離離れた場所に置かれた高精細度テレビ「デジタルハイビジョン」対応のテレビ受信機の画面上に、放送番組とは別の形式、例えば、ＸＭＬ形式またはＨＴＭＬ形式などで番組選択用の選択手順画面をＯＳＤ（オン・スクリーン・ディスプレイ）表示させ、視聴者は、その表示された選択手順画面のみを見ながら、手もとのタブレットの形態のポインティング装置を素手またはペンを用いて操作し、選択手順画面でポインターを移動させて選択指示を与えるように構成されている。
【００２３】
この放送受信ナビゲーションシステムに使用するポインティング装置は、横方向（水平方向、またはＸ軸方向とも言う）および縦方向（垂直方向、またはＹ軸方向とも言う）にそれぞれ高精細度テレビ「デジタルハイビジョン」の画面の横対縦比に対応し、互いに立体的に直交する導体線条が設けられた横対縦比１６対９の比率のタブレットの導体線条の交点（押下点）をを軽く押下することにより、その押下点の位置情報を出力するようにしたものである。この押下はある一点を押下するだけでなく、内蔵する電子回路により、素手またはペン等でタブレットの面上をなぞるようにしてその最後の点を押下点とするようにすることもできる。
【００２４】
また、ポインティング装置は、押下点の位置情報として現在押下している点の絶対位置情報と、以前に押下した点の位置情報と現在押下している点の位置情報のから求めた相対位置情報とのいずれかを出力し、その出力信号は、有線または、光・赤外線、ＳＳＢ波等による無線ＬＡＮ、あるいはブルートウースなどによる無線手段により、ポインティング装置から一定距離離れたテレビ受信機に伝送され、テレビ受信機にＯＳＤ（オン・スクリーン・ディスプレイ）表示された番組選択用の選択手順画面上で、上記位置情報（絶対位置情報または相対位置情報）で指定された位置にポインターを任意に動かすことができる。
【００２５】
図２は、本発明によるポインティング装置の第１の実施形態を示している。
図２において、座標Ｏ（０，０），Ａ（ａ，０），Ｃ（ａ，ｂ），Ｂ（０，ｂ）で囲まれる平面は、ポインティング装置を構成するタブレットの面に相当する。そして、タブレットの面上で、図の横方向すなわちＸ軸方向に、左端で基準電位０（Ｖ）、右端で電位ＸＯ（Ｖ）を与え、その間では抵抗器ＲＸ  で分圧された任意の電位が得られるようにする。また、タブレットの面には、抵抗器ＲＸ  を等分割して各分割点（電位０（Ｖ）およびＸＯ（Ｖ）の点を含む）からの電位が切替えスイッチ１（ＳＷ−１）を介してそれぞれ供給されるＹ軸に平行に延びる短冊状の導体線条が配置されている。これら導体線条は、切替えスイッチ１（ＳＷ−１）が電位を供給しないときには、全ての導体線条を母線１（Ｂ−１）に接続し、そこから母線１の電位を測定する電圧計１（Ｖ−１）に接続されている。
【００２６】
なお、図２に示す例では、右端で印加する電位ＸＯ（Ｖ）を負の電位にして、Ｙ軸に平行に延びる短冊状の導体線条に順次に減少する電圧を印加しているが、電位ＸＯ（Ｖ）を正の電位にして、導体線条に順次に増加する電圧を印加してもよい。このことは、次に説明するＹ軸に平行に延びる短冊状の導体線条についても同様である。
【００２７】
同様に、タブレットの面上で、図の縦方向すなわちＹ軸方向に、上端で基準電位０（Ｖ）、下端で電位ＹＯ（Ｖ）を与え、その間では抵抗器ＲＹ  で分圧された任意の電位が得られるようにする。また、タブレットの面には、抵抗器ＲＹ  を等分割して各分割点（電位０（Ｖ）およびＹＯ（Ｖ）の点を含む）からの電位が切替えスイッチ２（ＳＷ−２）を介してそれぞれ供給されるＹ軸に平行に延びる短冊状の導体線条が配置されている。これら導体線条は、切替えスイッチ２（ＳＷ−２）が電位を供給しないときには、全ての導体線条を母線（Ｂ−２）に接続し、そこから母線２の電位を測定する電圧計２（Ｖ−２）に接続されている。
【００２８】
上記において、Ｙ軸に平行に延びる短冊状の導体線条とＸ軸に平行に延びる短冊状の導体線条は所定間隔（空隙）を保って互いに直交している。そして、直交している交点の全てに、図３に示すように、スイッチ（ＳＷ）が介挿されている。
このスイッチ（ＳＷ）の構造については後述する。
【００２９】
このような構成において、スイッチ（ＳＷ）が押下された位置を検出するには、位置検出の前半において、Ｘ軸に平行に延びる短冊状の導体線条が母線（Ｂ−１）に接続されるように切替えスイッチ１（ＳＷ−１）を切り替え、Ｙ軸に平行に延びる短冊状の導体線条に抵抗器ＲＸ  を等分割した電位が供給されるように切替えスイッチ２（ＳＷ−２）を切り替える。
これにより、押下点ＰのＸ軸方向の電圧ｍ（Ｖ）が測定される。
【００３０】
次に、位置検出の後半において、Ｘ軸に平行に延びる短冊状の導体線条に抵抗器ＲＹ  を等分割した電位が供給されるように切替えスイッチ１（ＳＷ−１）を切り替え、Ｙ軸に平行に延びる短冊状の導体線条が母線（Ｂ−２）に接続されるようにに抵抗器ＲＸ  を等分割した電位が供給されるように切替えスイッチ２（ＳＷ−２）を切り替える。
これにより、押下点ＰのＹ軸方向の電圧ｎ（Ｖ）が測定される。
【００３１】
いま、位置検出の前半に測定したＸ軸方向の電圧がｍ（Ｖ）、位置検出の後半に測定したＹ軸方向の電圧がｎ（Ｖ）であるとすると、電圧と押下点Ｐ（ｘ，ｙ）との間につぎの関係が成立する。
ｘ＝ａｍ／ＸＯ  （Ｖ）
ｙ＝ｂｎ／ＹＯ  （Ｖ）
【００３２】
以上により、押下点Ｐの位置情報が電圧に置き換えられたことになり、その電圧をデジタル信号に変換し、さらに電波、光あるいは音波などの搬送波を変調してＯＳＤ表示の受信機に伝送する。
【００３３】
図４は、本発明によるポインティング装置の第２の実施形態を示している。
図４において、１はパルス発生器、２はシフトレジスタ、３はタブレット本体、および４はパルス位置検出器である。
ここで、タブレット本体は、第１の実施形態と同様、縦、横互いに直交する延びる短冊状の導体線条で構成され、各交点には、スイッチ（ＳＷ）が配置されている。しかし、第１の実施形態と違って、導体線条には電位を印加することもなく、母線１（Ｂ−１），母線２（Ｂ−２）も接続されない。
また、図５は、第２の実施形態における各部波形を示している。
【００３４】
動作につき説明する。
パルス発生器１から一定周期で出力されるパルスは、シフトレジスタ２で１クロックずつ遅延され、タブレット本体のＸ軸に平行に延びる短冊状の各導体線条に次々に供給される。そして、パルスが最後のＸ軸に平行に延びる短冊状の導体線条に供給された後は、再びパルス発生器１からの出力パルスがシフトレジスタ２に供給され、同様な動作を繰り返す。
この供給されたパルス列を図５（ａ）に示す。
このように、Ｘ軸に平行に延びる短冊状の導体線条には、順次１クロックずつずれたパルスが、ｙ１  ，ｙ２  ，ｙ３  ，・・・ｙｎ  ，ｙ１  ，ｙ２  ，・・・（いま、Ｘ軸に平行に延びる短冊状の導体線条の数をｎ本と仮定）のように、連続して印加される。
【００３５】
一方、タブレット本体のＹ軸に平行に延びる短冊状の導体線条にはパルス位置検出器４が接続されている。パルス位置検出器４は、導体線条ごとにパルスが入力されたか否かを検出し、さらに、上記のｙ１  ，ｙ２  ，ｙ３  ，・・・ｙｎ  のうちのどのパルスが入力したかを、入力のタイミングを調べることにより決定する。
【００３６】
図５（ｂ），（ｃ），（ｄ）は、パルス位置検出器４において、Ｙ軸に平行に延びる短冊状の導体線条の左から１番目、２番目、３番目から出力される上記ｙ１  ，ｙ２  ，ｙ３  ，・・・ｙｎ  のうちのいずれかのパルスを検出するためのゲートが開く時間帯を示している。
ここで、図５（ａ）〜（ｄ）から分かるように、シフトレジスタ２に供給されるパルス（ｙ１  パルス）の立上がりタイミングと各ゲートが開くタイミングとを同期させる必要がある。
【００３７】
いま、図５（ｃ）に示すゲートの開いている時間帯に、図５（ｅ）に示すように、パルスｙ３  が検出されたとする。
この状態は、上から３番目のＸ軸に平行に延びる短冊状の導体線条と、左から２番目のＹ軸に平行に延びる短冊状の導体線条との交点に設けられたスイッチが押下されたことにより、上から３番目のＸ軸に平行に延びる短冊状の導体線条に印加されたパルスｙ３  がスイッチを介して左から２番目のＹ軸に平行に延びる短冊状の導体線条を通って同導体線条から出力されたことを意味している。
【００３８】
図６は、図４中のパルス位置検出装置４の回路構成の一例を示している。
図６において、ＡＮＤ回路５−１，５−２，５−３，・・・の２つの入力端子には、ゲートパルスＸ１  ，Ｘ２  ，Ｘ３  と、Ｙ軸に平行に短冊状に延びる導体線条の出力信号とがそれぞれ印加され、ＡＮＤ回路５−１，５−２，５−３，・・・の各出力端子はデコーダ６に接続され、同デコーダの出力端子から押下されたスイッチの位置を示す符号化信号が取り出される。
【００３９】
以上、本発明による２つのポインティング装置の実施形態について説明したが、いずれにおいても、タブレット本体の位置指定が可能な範囲の形状は、番組選択用の選択手順画面をＯＳＤ表示する「デジタルハイビジョン」対応のテレビ受信機の画面の横対縦比と同じ横対縦比とするのが好ましい。
【００４０】
また、本発明によるポインティング装置は、上述した第１の実施形態の場合には、電位ＸＯ（Ｖ）、電位ＹＯ（Ｖ）設定を任意に変えることにより、また、第２の実施形態の場合には、各延びる短冊状の導体線条に供給するパルスｙ１  ，ｙ２  ，ｙ３  ，・・・ｙｎ  の一部を省略し、ゲートパルスＸ１  ，Ｘ２  ，Ｘ３  によりゲートの開いている時間を所望の時間幅にに狭めることにより、ポインティング装置によって出力される位置情報が狭い範囲から広い範囲まで変化し得るようにすることができる。
【００４１】
図７は、本発明によるポインティング装置を用いて、ＯＳＤ表示された選択手順画面に絶対座標系と相対座標系のそれぞれにより位置指定を行う状況を示している。相対座標系で位置指定を行う場合は、マウスを用いてＰＣで位置指定を行うのと同様、タブレット面上での押下点Ｐの位置とＯＳＤ表示画面のポインターの位置との間に特定の関係はなく、現在ＯＳＤ表示画面に存在するポインターをどの方向にどれだけ動かす（図７の場合は、Ｘ軸に平行な方向に＋Δｎｘ，Ｙ軸に平行な方向に＋Δｎｙ動かす）かだけである。
【００４２】
図８（ａ），（ｂ）は、Ｘ軸およびＹ軸に平行に、延びる短冊状の導体線条の各交点に形成されるスイッチ（ＳＷ）の一構造例を、上面から見た部分透視図および横断面図にてそれぞれ示している。
図８において、７はＸ軸に平行に延びる短冊状の導体線条、８はＹ軸に平行に延びる短冊状の導体線条、９はプラスティックの開孔シート、１０はプラスティックシート、１１は球状体または表面が平面の半球状体、および１２は基板である。
【００４３】
図８（ａ）について説明するに、Ｘ軸に平行に延びる短冊状の導体線条７とＹ軸に平行に延びる短冊状の導体線条８との交点にはプラスティックの開孔シート９が配置され、両者が接触しないようにスペーサの役目を果たすとともに、その開孔の部分を押圧することによって両者を短絡させる（押圧スイッチ）ようにしている。
【００４４】
図８（ｂ）について説明するに、上記の導体線条７とプラスティックの開孔シート９と導体線条８とは基板１２上に配置され、さらに、導体線条７と導体線条８の交点（開孔シート９の孔の位置に一致している）上にはプラスティックシート１０により位置間隔が保たれた球状体または表面が平面の半球状体１１が配置され、この球状体または表面が平面の半球状体を押圧することで、プラスティックの開孔シート９の開孔部分を押圧して導体線条７と導体線条８を短絡する効果が得られる。なお、球状体または表面が平面の半球状体１１として、表面が平面の半球状体を選択することは、タブレットの表面がほぼ平らになるという利点がある。
【００４５】
【発明の効果】
本発明によれば、視聴者がデジタルテレビ放送の番組を探すにあたって、電子番組ガイド（ＥＰＧ）を新聞のラジオ、テレビ欄と同様な番組表にして、その中から希望する番組を探すのではなく、番組選択用の選択手順画面をＯＳＤ表示して、表示された選択手順に従って番組選択を行うことができるので、見たい番組を迅速、かつ容易に選択受信して視聴することが可能になる。
【００４６】
また、本発明によるポインティング装置は、「デジタルハイビジョン」受信機にＯＳＤ表示された番組選択用の選択手順画面のみを見ながら操作するだけであるから、タブレット本体に選択手順画面などを映出する必要がなく、従って、上述したように簡単な構造にて実現することができる。
【図面の簡単な説明】
【図１】本発明デジタルテレビ放送受信ナビゲーションシステムの構成を概念図にて示している。
【図２】本発明によるポインティング装置の第１の実施形態を示している。
【図３】Ｘ軸およびＹ軸に平行に、延びる短冊状の導体線条の交点の全てにスイッチが介挿されていることを示している。
【図４】本発明によるポインティング装置の第２の実施形態を示している。
【図５】第２の実施形態における各部波形を示している。
【図６】図４中のパルス位置検出器の回路構成の一例を示している。
【図７】本発明によるポインティング装置を用いて、ＯＳＤ表示された選択手順画面に絶対座標系と相対座標系のそれぞれにより位置指定を行う状況を示している。
【図８】Ｘ軸およびＹ軸に平行に、延びる短冊状の導体線条の各交点に形成されるスイッチの一構造例を、上面から見た部分透視図および横断面図にて示している。
【符号の説明】
１  パルス発生器
２  シフトレジスタ
３  タブレット本体
４  パルス位置検出器
５−１，５−２，５−３  ＡＮＤ回路
６  デコーダ
７  Ｘ軸に平行に延びる短冊状の導体線条
８  Ｙ軸に平行に延びる短冊状の導体線条
９  プラスティックの開孔シート
１０  プラスティックシート
１１  球状体または表面が平面の半球状体
１２  基板
ＳＷ−１  切替えスイッチ１母線（Ｂ−１）
ＳＷ−２  切替えスイッチ２
ＳＷ  スイッチ
Ｂ−１  母線１
Ｂ−２  母線２
Ｖ−１  電圧計１
Ｖ−２  電圧計２
Ｐ  押下点
【図１】
2004356995.tif 000003
【図２】
2004356995.tif 000004
【図３】
2004356995.tif 000005
【図４】
2004356995.tif 000006
【図５】
2004356995.tif 000007
【図６】
2004356995.tif 000008
【図７】
2004356995.tif 000009
【図８】
2004356995.tif 000010